(57)【要約】写損時での写損理由の入力の要否に関する設定を行うために、写損理由の入力の要否に関するチェックボックス（８ｊ）を画面上に表示する。チェックボックス（８ｊ）にチェックマークを入れる操作を行った場合には写損理由の入力が必要であると設定する。チェックボックス（８ｊ）からチェックマークを外す操作を行った場合には写損理由の入力が不要であると設定する。写損理由の入力が必要であると設定された場合には、写損理由を入力する画面を表示し、写損理由の入力が不要であると設定された場合には、写損理由を入力する画面をスキップする。これにより、写損理由の入力が不要な場合にはその入力作業が自動的にスキップされ、操作者の手間が軽減される。
2019198292.tif 000002
【特許請求の範囲】
【請求項１】
Ｘ線撮影を行うＸ線撮影装置であって、  撮影失敗と設定された写損時での撮影失敗の理由を写損理由とすると、写損時での写損理由の入力の要否に関する設定を行う要否設定手段と、  写損理由の入力が必要であると前記要否設定手段で設定された場合には、写損理由を入力する画面を表示し、写損理由の入力が不要であると前記要否設定手段で設定された場合には、写損理由を入力する画面をスキップするように制御する表示制御手段と  を備える  Ｘ線撮影装置。
【請求項２】
請求項１に記載のＸ線撮影装置において、  写損理由の入力の要否を入力する要否入力手段を備え、  前記表示制御手段は、写損理由の入力の要否に関する設定項目を画面上に表示するように制御し、  画面上に表示された前記設定項目において写損理由の入力が必要であると前記要否入力手段で入力された場合には、前記要否設定手段は写損理由の入力が必要であると設定し、画面上に表示された前記設定項目において写損理由の入力が不要であると前記要否入力手段で入力された場合には、前記要否設定手段は写損理由の入力が不要であると設定する  Ｘ線撮影装置。
【請求項３】
請求項１に記載のＸ線撮影装置において、  操作条件を入力する操作条件入力手段を備え、  前記操作条件入力手段で入力された操作条件に応じて前記要否設定手段は写損理由の入力の要否に関する設定を行い、  特定の操作条件において写損理由の入力が不要であると前記要否設定手段で設定される場合には、前記表示制御手段は、当該特定の操作条件において写損理由の入力の要否に関する設定の画面をスキップするように制御する  Ｘ線撮影装置。
【請求項４】
請求項３に記載のＸ線撮影装置において、  前記操作条件入力手段で入力される操作条件は撮影プロトコルの内容であって、  前記操作条件入力手段で入力された各々の撮影プロトコルの内容に応じて前記要否設定手段は写損理由の入力の要否に関する設定を行い、  特定の撮影プロトコルにおいて写損理由の入力が不要であると前記要否設定手段で設定される場合には、前記表示制御手段は、当該特定の撮影プロトコルにおいて写損理由の入力の要否に関する設定の画面をスキップするように制御する  Ｘ線撮影装置。
【請求項５】
請求項３に記載のＸ線撮影装置において、  前記操作条件入力手段で入力される操作条件は操作者の情報であって、  前記操作条件入力手段で入力された各々の操作者の情報に応じて前記要否設定手段は写損理由の入力の要否に関する設定を行い、  特定の操作者の時に写損理由の入力が不要であると前記要否設定手段で設定される場合には、前記表示制御手段は、当該特定の操作者の時に写損理由の入力の要否に関する設定の画面をスキップするように制御する  Ｘ線撮影装置。
【請求項６】
請求項３に記載のＸ線撮影装置において、  前記操作条件入力手段で入力される操作条件は、一連の撮影を一括したプロシージャの内容であって、  前記操作条件入力手段で入力された各々のプロシージャの内容に応じて前記要否設定手段は写損理由の入力の要否に関する設定を行い、  特定のプロシージャにおいて写損理由の入力が不要であると前記要否設定手段で設定される場合には、前記表示制御手段は、当該特定のプロシージャにおいて写損理由の入力の要否に関する設定の画面をスキップするように制御する  Ｘ線撮影装置。
【発明の詳細な説明】
【技術分野】
【０００１】  本発明は、Ｘ線撮影を行うＸ線撮影装置に係り、特に、再撮影を行う技術に関する。
【背景技術】
【０００２】  Ｘ線撮影装置を使った検査では、医師からのオーダがあった撮影部位にしたがって患者（被検体）のポジショニング（位置合わせ）やＸ線撮影条件（例えば管電圧や管電流や照射時間など）の設定を行い、Ｘ線の照射によるＸ線撮影やＸ線撮影により得られたＸ線画像の確認を行う。【０００３】  このＸ線画像の確認において、上述の患者のポジショニングの位置が悪かった，Ｘ線撮影条件が適切でなかった等の理由により、診断に足るＸ線画像を作成することができないこと（以下、「写損」と呼ぶ）があり、この場合には再撮影を行う。この写損による再撮影には、患者に余計な被曝を与える，再撮影により検査時間が延びるなどのデメリットがある。一般的に、この再撮影が発生した際に最初に撮影したＸ線画像は「写損画像」として区別され、診断の対象から外すなどの運用がなされている。【０００４】  これに関して、Ｘ線撮影装置側では、図１６に示すように収集したＸ線画像をユーザ（操作者）の操作によって写損画像として設定する設定登録機能（図１６では「写損」ボタンＢを参照）を備えている。そして、画像サーバやプリンタへの送信対象から写損画像を自動的に除外する副機能が備えられている。【０００５】  また、上述したように写損による再撮影には、患者に余計な被曝を与える，再撮影により検査時間が延びるなどのデメリットがある。そのために、写損をいかになくすかが、Ｘ線撮影検査を行う医療機関の課題となる。写損を減らすための取り組みとしては、過去に写損が発生したプロトコル（手順），発生原因，発生率などの統計解析処理を行い、管理者がそれを分析して技師に指導を行うことにより写損発生率を低減させる。具体的には、撮影失敗（写損）を確認した時点で、撮影失敗の画像を写損画像として設定（写損指定）して、その理由（「写損理由」とも呼ばれる）を入力する（例えば、特許文献１参照）。【０００６】  より具体的には、Ｘ線撮影装置側では、図１７に示すように写損画像について、「患者のポジショニングの位置が悪かった」（図１７では「患者の移動」）、「Ｘ線撮影条件が適切でなかった」（図１７では「撮影条件失敗」）などの写損と判断した理由（写損理由）をユーザ（操作者）が入力するインターフェースを用意する。これにより、管理者が写損に関する統計解析処理を容易に実施することができる。その他に、図１７の「位置ずれ」は、Ｘ線管やＸ線検出器などの撮影系のポジショニングの位置ずれであり、図１７の「マーカ位置不整合」は、診断箇所へのマーカの重なりである。
【先行技術文献】
【特許文献】
【０００７】
【特許文献１】特許第５５３９４３５号公報
【発明の概要】
【発明が解決しようとする課題】
【０００８】  しかしながら、このような構成を有する従来例の場合には、次のような問題がある。  すなわち、Ｘ線撮影装置の写損理由の設定では、装置の操作者が何らかの操作を行い、写損理由を確認・入力する必要があるので、少なからず操作者の作業の手間が発生する。【０００９】  本発明は、このような事情に鑑みてなされたものであって、操作者の作業の手間を軽減することができるＸ線撮影装置を提供することを目的とする。
【課題を解決するための手段】
【００１０】  発明者は、上記の問題を解決するために鋭意研究した結果、次のような知見を得た。【００１１】  従来技術では、写損理由の設定漏れを防止するために、写損登録時に写損理由を自動的に入力するインターフェースを表示する，撮影終了（検査終了）時に写損理由が登録されていない写損画像があった場合には警告を表示する等の機能が必要になる。しかし、実際には、以下のような理由により、撮影を行ったユーザ（操作者）毎，撮影の内容（撮影プロトコル）毎もしくは一連の撮影を一括した検査（プロシージャ）毎に、写損理由の入力の要否が異なるケースが存在するという知見を得た。ここで、プロシージャ(procedure)とは、複数の処理を一つにまとめたものをいう。本明細書では、処理は撮影に対応しているので、以下では一連の撮影を一括した「検査」と「プロシージャ」とは同義として説明する。【００１２】  具体的には、１回の検査（プロシージャ）の中で、技師が行う撮影と医者が行う撮影との両方があった場合に、写損画像の撮影を行ったユーザ（操作者）が技師である時には写損理由の入力が必要であるとする。しかし、写損画像の撮影を行ったユーザ（操作者）が医者である場合には、医者は写損に関する統計解析処理を行わないので、写損理由の入力は不要であるとする。このように、操作者によっては写損に関する統計解析処理が不要なケースが存在する。ここで、技師である時には写損理由の入力が必要であるとし、医者である場合には写損理由の入力は不要であるとしたが、これは病院の運用の一例であることに留意されたい。後述するように経験豊富な技師である場合に写損理由の入力が不要であるとしてもよいし、逆に医者である場合でも写損理由の入力が必要であるとしてもよい。【００１３】  また、撮影の内容が胸部・腹部・四肢である場合には、写損理由の入力が必要である。しかし、写損が多い撮影と写損が少ない撮影（例えば造影撮影）とが存在し、写損が少ない撮影の場合には、「患者のポジショニングの位置が悪かった」の写損理由に限られ、統計解析処理に供しないので、結果的に写損理由の入力が不要である。このように、撮影の内容によっては写損に関する統計解析処理が不要なケースが存在する。【００１４】  また、プロシージャが「手の一般撮影」である場合には、写損理由の入力が必要である。しかし、写損が多いプロシージャと写損が少ないプロシージャとが存在し、写損が少ないプロシージャが例えば「上部消化管の造影検査」である場合には、写損が少ない撮影と同様に「患者のポジショニングの位置が悪かった」の写損理由に限られ、統計解析処理に供しないので、結果的に写損理由の入力が不要である。このように、プロシージャによっては写損に関する統計解析処理が不要なケースが存在する。【００１５】  このような知見に基づく本発明は、次のような構成をとる。  すなわち、本発明に係るＸ線撮影装置は、Ｘ線撮影を行うＸ線撮影装置であって、撮影失敗と設定された写損時での撮影失敗の理由を写損理由とすると、写損時での写損理由の入力の要否に関する設定を行う要否設定手段と、写損理由の入力が必要であると前記要否設定手段で設定された場合には、写損理由を入力する画面を表示し、写損理由の入力が不要である��前記要否設定手段で設定された場合には、写損理由を入力する画面をスキップするように制御する表示制御手段とを備えるものである。【００１６】  ［作用・効果］本発明に係るＸ線撮影装置によれば、写損時での写損理由の入力の要否に関する設定を行う要否設定手段を備える。さらに下記のような制御を行う表示制御手段を備える。写損理由の入力が必要であると要否設定手段で設定された場合には、写損理由を入力する画面を表示するように表示制御手段は制御する。写損理由の入力が不要であると要否設定手段で設定された場合には、写損理由を入力する画面をスキップするように表示制御手段は制御する。このような要否設定手段および表示制御手段を備えることにより、写損理由の入力が不要な場合にはその入力作業が自動的にスキップされる。その結果、写損理由の入力が不要な場合に写損理由の入力をキャンセルするなどの操作を行わずに済み、操作者の作業の手間を軽減することができる。【００１７】  本発明に係るＸ線撮影装置の一例（前者の一例）は、写損理由の入力の要否を入力する要否入力手段を備え、表示制御手段は、写損理由の入力の要否に関する設定項目を画面上に表示するように制御し、画面上に表示された設定項目において写損理由の入力が必要であると要否入力手段で入力された場合には、要否設定手段は写損理由の入力が必要であると設定し、画面上に表示された設定項目において写損理由の入力が不要であると要否入力手段で入力された場合には、要否設定手段は写損理由の入力が不要であると設定することである。【００１８】  前者の一例によれば、写損理由の入力の要否を入力する要否入力手段を備える。一方、表示制御手段は、写損理由の入力の要否に関する設定項目を画面上に表示するように制御する。画面上に表示された設定項目において写損理由の入力が必要であると要否入力手段で入力された場合には、要否設定手段は写損理由の入力が必要であると設定する。これによって、画面上に表示された設定項目において写損理由の入力が必要であると要否入力手段で入力された場合には、写損理由を入力する画面を表示して、画面上で写損理由を入力する。それに対して、画面上に表示された設定項目において写損理由の入力が不要であると要否入力手段で入力された場合には、要否設定手段は写損理由の入力が不要であると設定する。これによって、画面上に表示された設定項目において写損理由の入力が不要であると要否入力手段で入力された場合には、写損理由を入力する画面をスキップするので、写損理由の入力が不要な場合にはその入力作業が自動的にスキップされる。【００１９】  本発明に係るＸ線撮影装置の他の一例（後者の一例）は、操作条件を入力する操作条件入力手段を備え、操作条件入力手段で入力された操作条件に応じて要否設定手段は写損理由の入力の要否に関する設定を行い、特定の操作条件において写損理由の入力が不要であると要否設定手段で設定される場合には、表示制御手段は、当該特定の操作条件において写損理由の入力の要否に関する設定の画面をスキップするように制御することである。【００２０】  後者の一例によれば、操作条件を入力する操作条件入力手段を備え、操作条件入力手段で入力された操作条件に応じて要���設定手段は写損理由の入力の要否に関する設定を行う。一方、特定の操作条件において写損理由の入力が不要であると要否設定手段で設定される場合には、表示制御手段は、当該特定の操作条件において写損理由の入力の要否に関する設定の画面をスキップするように制御する。これによって、特定の操作条件において写損理由の入力が不要である場合には、写損理由の入力の要否に関する設定の画面をスキップするので、写損理由の入力が不要であると入力する作業そのものが自動的にスキップされる。その結果、写損理由の入力が不要である操作条件の場合には、写損理由の入力をキャンセルするなどの操作の他に、写損理由の入力が不要であると入力する操作を行わずに済み、操作者の作業の手間をより一層軽減することができる。【００２１】  後者の一例において操作条件入力手段で入力される操作条件としては下記のような第１〜第３の態様がある。  第１の態様は、操作条件入力手段で入力される操作条件は撮影プロトコルの内容であって、操作条件入力手段で入力された各々の撮影プロトコルの内容に応じて要否設定手段は写損理由の入力の要否に関する設定を行い、特定の撮影プロトコルにおいて写損理由の入力が不要であると要否設定手段で設定される場合には、表示制御手段は、当該特定の撮影プロトコルにおいて写損理由の入力の要否に関する設定の画面をスキップするように制御する。【００２２】  第１の態様によれば、特定の撮影プロトコルにおいて写損理由の入力が不要であると要否設定手段で設定される場合には、表示制御手段は、当該特定の撮影プロトコルにおいて写損理由の入力の要否に関する設定の画面をスキップするように制御する。これによって、特定の撮影プロトコルにおいて写損理由の入力が不要である場合には、写損理由の入力の要否に関する設定の画面をスキップするので、写損理由の入力が不要であると入力する作業そのものが自動的にスキップされる。その結果、写損理由の入力が不要である撮影プロトコルの場合には、写損理由の入力をキャンセルするなどの操作の他に、写損理由の入力が不要であると入力する操作を行わずに済み、操作者の作業の手間をより一層軽減することができる。【００２３】  また、第１の態様とは別の第２の態様は、操作条件入力手段で入力される操作条件は操作者の情報であって、操作条件入力手段で入力された各々の操作者の情報に応じて要否設定手段は写損理由の入力の要否に関する設定を行い、特定の操作者の時に写損理由の入力が不要であると要否設定手段で設定される場合には、表示制御手段は、当該特定の操作者の時に写損理由の入力の要否に関する設定の画面をスキップするように制御する。【００２４】  第２の態様によれば、特定の操作者の時に写損理由の入力が不要であると要否設定手段で設定される場合には、表示制御手段は、当該特定の操作者の時に写損理由の入力の要否に関する設定の画面をスキップするように制御する。これによって、特定の操作者の時に写損理由の入力が不要である場合には、写損理由の入力の要否に関する設定の画面をスキップするので、写損理由の入力が不要であると入力する作業そのものが自動的にスキップされる。その結果、写損理由の入力が不要である操作者（例えば医者あるいは経験豊富な技師）の場合には、写損理由の入力をキャンセルするなどの操作の他に、写損理由の入力が不要であると入力する操作を行わずに済み、操作者の作業の手間をより一層軽減することができる。【００２５】  また、第１，第２の態様とは別の第３の態様は、操作条件入力手段で入力される操作条件は、一連の撮影を一括したプロシージャの内容であって、操作条件入力手段で入力された各々のプロシージャの内容に応じて要否設定手段は写損理由の入力の要否に関する設定を行い、特定のプロシージャにおいて写損理由の入力が不要であると要否設定手段で設定される場合には、表示制御手段は、当該特定のプロシージャにおいて写損理由の入力の要否に関する設定の画面をスキップするように制御する。【００２６】  第３の態様によれば、特定のプロシージャにおいて写損理由の入力が不要であると要否設定手段で設定される場合には、表示制御手段は、当該特定のプロシージャにおいて写損理由の入力の要否に関する設定の画面をスキップするように制御する。これによって、特定のプロシージャにおいて写損理由の入力が不要である場合には、写損理由の入力の要否に関する設定の画面をスキップするので、写損理由の入力が不要であると入力する作業そのものが自動的にスキップされる。その結果、写損理由の入力が不要であるプロシージャの場合には、写損理由の入力をキャンセルするなどの操作の他に、写損理由の入力が不要であると入力する操作を行わずに済み、操作者の作業の手間をより一層軽減することができる。
【発明の効果】
【００２７】  本発明に係るＸ線撮影装置によれば、写損時での写損理由の入力の要否に関する設定を行う要否設定手段と、写損理由の入力が必要であると要否設定手段で設定された場合には、写損理由を入力する画面を表示し、写損理由の入力が不要であると要否設定手段で設定された場合には、写損理由を入力する画面をスキップするように制御する表示制御手段とを備えることにより、写損理由の入力が不要な場合にはその入力作業が自動的にスキップされ、操作者の手間が軽減される。
【図面の簡単な説明】
【００２８】
【図１】各実施例に係るＸ線撮影装置のブロック図である。
【図２】各実施例に係るＸ線撮影装置のコントローラにおける写損に関するブロック図である。
【図３】実施例１に係るプロシージャ編集画面の表示態様である。
【図４】実施例１に係るプロシージャ編集画面の表示態様である。
【図５】実施例１に係るユーザ情報登録画面の表示態様である。
【図６】（ａ）〜（ｃ）は、図３および図５の表示態様を組み合わせて実施する場合での写損理由判定部の回路図である。
【図７】写損理由の入力の要否に関する設定を含んだ実施例１に係る一連の撮影のフローチャートである。
【図８】特定の撮影プロトコルにおいて写損理由の入力が必要であると設定される場合での実施例２に係るプロシージャ編集画面の表示態様である。
【図９】特定の撮影プロトコルにおいて写損理由の入力が不要であると設定される場合での実施例２に係るプロシージャ編集画面の表示態様である。
【図１０】特定のプロシージャにおいて写損理由の入力が必要であると設定される場合での実施例２に係るプロシージャ編集画面の表示態様である。
【図１１】特定のプロシージャにおいて写損理由の入力が不要であると設定される場合での実施例２に係るプロシージャ編集画面の表示態様である。
【図１２】ログイン前の実施例２に係るユーザ情報登録画面の表示態様である。
【図１３】図１２とは別の態様である実施例２に係るユーザ情報登録画面の表示態様である。
【図１４】特定の操作者の時に写損理由の入力が必要であると設定される場合での実施例２に係るユーザ情報登録画面の表示態様である。
【図１５】特定の操作者の時に写損理由の入力が不要であると設定される場合での実施例２に係るユーザ情報登録画面の表示態様である。
【図１６】写損登録のための写損ボタンを設けた画面の表示態様である。
【図１７】写損理由の入力ダイアログの表示態様である。
【実施例１】
【００２９】  以下、図面を参照して本発明の実施例１を説明する。  図１は、各実施例に係るＸ線撮影装置のブロック図であり、図２は、各実施例に係るＸ線撮影装置のコントローラにおける写損に関するブロック図である。図１および図２は各実施例とも共通の構成である。【００３０】  後述する実施例２も含めて、本実施例１に係るＸ線撮影装置は、図１に示すように、患者である被検体Ｍを載置した天板１と、被検体Ｍに向けてＸ線を照射するＸ線管２と、Ｘ線管２から照射されて被検体Ｍを透過したＸ線を検出するフラットパネル型Ｘ線検出器（以下、「ＦＰＤ」と略記する）３とを備えている。【００３１】  この他に、Ｘ線撮影装置は、ＦＰＤ３によって検出されたＸ線に基づくＸ線画像に対して画像処理を行う画像処理部４と、後述する各構成部を統括するコントローラ５と、コントローラ５を介してＦＰＤ３で得られた画像処理前のＸ線画像や画像処理部４によって各種の画像処理で得られたＸ線画像を記憶するとともに、後述する撮影失敗の理由（写損理由）を記憶するメモリ部６と、技師などの操作者がデータや命令（コマンド）を入力する入力部７と、画像処理前のＸ線画像や画像処理部４による画像処理後のＸ線画像を表示するとともに、後述するプロシージャ編集画面８Ａ（図３を参照）やプロシージャ編集画面８Ｂ（図４を参照）やユーザ情報登録画面８Ｃ（図５を参照）や写損理由の入力ダイアログを表示する表示部８とを備えている。コントローラ５（特に後述する図２に示す写損理由判定部５４）は、本発明における要否設定手段および表示制御手段に相当し、入力部７は、本発明における要否入力手段に相当する。【００３２】  ＦＰＤ３は、その検出面にはＸ線に有感な複数の検出素子を２次元マトリックス状に配列して構成されている。検出素子は、被検体Ｍを透過したＸ線を電気信号に変換して一旦蓄積して、その蓄積された電気信号を読み出すことで、Ｘ線を検出する。各々の検出素子でそれぞれ検出された電気信号を、電気信号に応じた画素値に変換して、検出素子の位置にそれぞれ対応した画素にその画素値を割り当てることでＸ線画像を出力する。出力されたＸ線画像を、コントローラ５を介して画像処理部４あるいはメモリ部６に送り込む。このように、ＦＰＤ３は、Ｘ線を検出する複数の検出素子が行列状（２次元マトリックス状）に構成されており、Ｘ線撮影デジタル装置に用いられる。なお、Ｘ線検出器はＦＰＤに限定されず、イメージインテンシファイア（Ｉ．Ｉ）などのＸ線撮影アナログ装置に用いられるＸ線検出器であってもよい。【００３３】  画像処理部４やコントローラ５は、中央演算処理装置（ＣＰＵ）などで構成されている。画像処理は、例えばオフセット補正や階調変換やグリッド除去などである。画像処理部４での画像処理を行わなくともＦＰＤ３で得られたＸ線画像が診断に足る画像だと技師が判断したらＸ線画像をメモリ部６に直接に送り込む。逆に画像処理が必要であると技師が判断したらＸ線画像を画像処理部４に送り込んで画像処理部４での画像処理を行った後にメモリ部６に送り込む。コントローラ５の具体的な機能については詳しく後述する。【００３４】  メモリ部６は、ＲＯＭ（Read-only Memory）やＲＡＭ（Random-Access Memory）などに���表される記憶媒体で構成されている。後述する実施例２も含めて、本実施例１では、ＦＰＤ３で得られた（画像処理前の）Ｘ線画像や画像処理部４による画像処理後のＸ線画像を書き込んで記憶し、適宜必要に応じてメモリ部６からＸ線画像を読み出して表示部８、あるいはプリンタ（図示省略）や画像サーバ（図示省略）に送り込む。また、表示部８の写損理由の入力ダイアログに入力された写損理由を書き込んで記憶し、適宜必要に応じてメモリ部６から読み出して、表示部８の画面に送り込む。【００３５】  入力部７は、マウスやキーボードやジョイスティックやトラックボールやタッチパネルなどに代表されるポインティングデバイスで構成されている。後述する実施例２も含めて、本実施例１では、入力部７をタッチパネルで構成することで、表示部８は入力部７の機能を兼用する。入力部７（ここではタッチパネル）の具体的な機能についても詳しく後述する。【００３６】  表示部８はタッチパネルやモニタやテレビジョンなどで構成されている。本実施例では、上述したように表示部８は入力部７の機能を兼用して、表示部８をタッチパネルで構成する。表示部８の具体的な表示態様についても詳しく後述する。【００３７】  図２に示すようにコントローラ５（図１も参照）は、写損処理部５１と検査終了処理部５２と写損理由管理部５３と写損理由判定部５４とプロシージャ設定管理部５５とプロトコル設定管理部５６とユーザ設定管理部５７と写損理由入力指示部５８とを備えている。写損理由判定部５４は、本発明における要否設定手段に相当する。【００３８】  タッチパネル上または画面上に表示された「写損」ボタンが押された時に、写損処理部５１は写損理由管理部５３にその旨を通知する。もしくは、タッチパネル上または画面上に表示された「検査終了」ボタンが押された時に、検査終了処理部５２は写損理由管理部５３にその旨を通知する。【００３９】  写損理由が未だに入力されていない写損画像が存在する場合には、写損理由管理部５３は写損理由の入力が必要であるのか否かを写損理由判定部５４に問い合わせる。【００４０】  写損理由判定部５４は、プロシージャ設定管理部５５，プロトコル設定管理部５６およびユーザ設定管理部５７に問い合わせ、写損理由の入力の要否に関する設定値を収集する。その収集結果から写損理由の入力の要否を写損理由判定部５４は決定し、写損理由管理部５３に通知する。なお、写損理由の入力の要否に関する設定値は、後述する設定項目（チェックボックス）において写損理由の入力の要否が入力部７（図１を参照）で入力された条件に応じて設定される。【００４１】  写損理由入力指示部５８は、写損理由の入力が必要である旨をユーザ（操作者）に対して写損理由の入力を指示する。具体的には、写損理由の入力ダイアログ（図１７では「写損理由を選択してください」と表記された画面）をタッチパネル上または画面上に表示し、ユーザは該当する写損理由を選択した後に「ＯＫ」ボタンを押す。【００４２】  次に、本実施例１に係る表示態様について、図３〜図６を参照して説明する。図３は、実施例１に係るプロシージャ編集画面の表示態様であり、図４は、実施例１に係るプロシージャ編集画面の表示態様であり、図５は、実施例１に係るユーザ情報登録画面の表示態様であり、図６（ａ）〜図６（ｃ）は、図３および図５の表示態様を組み合わせて実施する場合での写損理由判定部の回路図である。【００４３】  先ず、「写損時に写損理由を入力する」のか否かの設定項目を追加した画面を表示する。設定項目は、例えば図３に示すように撮影プロトコル毎に，図４に示すように検査（プロシージャ）毎に，または図５に示すようにユーザ（操作者）毎に追加される。後述する実施例２も含めて、本実施例１では、設定項目としてチェックボックスを例に採って説明する。チェックボックスにチェックマークが入っている場合には、写損理由を入力する画面（写損理由の入力ダイアログ）に移行して、写損理由を選択して入力する。チェックボックスにチェックマークが入っていない場合には、写損理由を入力する画面（写損理由の入力ダイアログ）をスキップする。【００４４】  チェックボックスにチェックマークが入っている状態で、チェックボックスまたはその説明文（この場合には「写損時に写損理由を入力する」）をタッチパネル上に触れる、またはマウスでクリックすることにより、チェックボックスが反転してチェックボックスにチェックマークが入らない。逆に、チェックボックスにチェックマークが入っていない状態で、チェックボックスまたはその説明文（「写損時に写損理由を入力する」）をタッチパネル上に触れる、またはマウスでクリックすることにより、チェックボックスが反転してチェックボックスにチェックマークが入る。【００４５】  図３に示すように、プロシージャ編集画面８Ａを起動する。プロシージャ編集画面８Ａにはタブが設けられており、例えば「全般」タブ８ａ，「透視」タブ８ｂ，「撮影」タブ８ｃが設けられている。図３は「撮影」タブ８ｃを選択した場合の表示態様である。「撮影」タブ８ｃを選択すると、複数の撮影プロトコルが表示されており、例えば「SPOT 造影前」の撮影プロトコル８ｄ，「SPOT 造影後」の撮影プロトコル８ｅ，「3.75FPS」の撮影プロトコル８ｆ，「7.5FPS」の撮影プロトコル８ｇが表示されている。【００４６】  ここで、「SPOT 造影前」とは局所的な関心領域での造影剤の投与前の撮影であり、「SPOT 造影後」とは局所的な関心領域での造影剤の投与後の撮影であり、「3.75FPS」は１秒当たり3.75フレームでの撮影速度の連続撮影であり、「7.5FPS」は１秒当たり7.5フレームでの撮影速度の連続撮影である。また、「SPOT 造影前」，「SPOT 造影後」，「3.75FPS」，「7.5FPS」の順で撮影が行われる。【００４７】  図３は「SPOT 造影前」の撮影プロトコル８ｄを選択した場合の表示態様である。「SPOT 造影前」の撮影プロトコル８ｄを選択すると、右側にはタブが設けられており、例えば「Ｘ線／撮影条件」タブ８ｈ，「処理」タブ８ｉが設けられている。図３は「Ｘ線／撮影条件」タブ８ｈを選択した場合の表示態様である。「Ｘ線／撮影条件」タブ８ｈを選択すると、Ｘ線条件や撮影条件などが表示されている。なお、「処理」タブ８ｉを選択すると画像処理部４（図１を参照）による画像処理条件（画像処理パラメータ）などが表示される。【００４８】  「SPOT 造影前」の撮影プロトコル８ｄを選択した後に「Ｘ線／撮影条件」タブ８ｈを選択すると、撮影プロトコル毎のチ��ックボックス８ｊが表示される。「SPOT 造影前」は造影剤の投与前の撮影であるので、写損が発生する可能性がある。そこで、「SPOT 造影前」の撮影プロトコル８ｄを選択した場合には、チェックボックス８ｊにチェックマークを入れて、写損時での写損理由を入力する。このようにして、「SPOT 造影前」の撮影プロトコル８ｄにおいて写損理由の入力の要否に関する設定を行う。【００４９】  以下、同様の手順で、「SPOT 造影後」の撮影プロトコル８ｅを選択して「SPOT 造影後」の撮影プロトコル８ｅにおいて写損理由の入力の要否に関する設定を行い、「3.75FPS」の撮影プロトコル８ｆを選択して「3.75FPS」の撮影プロトコル８ｆにおいて写損理由の入力の要否に関する設定を行い、「7.5FPS」の撮影プロトコル８ｇを選択して「7.5FPS」の撮影プロトコル８ｇにおいて写損理由の入力の要否に関する設定を行う。【００５０】  図４に示すように、プロシージャ編集画面８Ｂを起動する。図３のプロシージャ編集画面８Ａと同様に図４のプロシージャ編集画面８Ｂにはタブが設けられており、当該タブは一連の撮影を一括したプロシージャ毎に設けられており、例えば「手の一般撮影」タブ８ｋ，「上部消化管の造影検査」タブ８ｌが設けられている。図４は「上部消化管の造影検査」タブ８ｌを選択した場合の表示態様である。「上部消化管の造影検査」タブ８ｌを選択すると、図３と同様に複数の撮影プロトコル（図４の符号８ｍを参照）が表示されている。【００５１】  図３の場合には各々の撮影プロトコル毎に写損理由の入力の要否に関する設定を行っていた。それに対して、図４の場合にはプロシージャ毎に写損理由の入力の要否に関する設定を行う。つまり、同一のプロシージャに撮影プロトコルが属していれば、各々の撮影プロトコルでは写損理由の入力の要否に関する設定が一括して行われる。【００５２】  「上部消化管の造影検査」タブ８ｌを選択すると、プロシージャ毎のチェックボックス８ｎが表示される。「上部消化管の造影検査」は造影撮影であるので、写損理由の入力が不要である。そこで、「上部消化管の造影検査」タブ８ｌを選択した場合には、チェックボックス８ｎからチェックマークを外して、写損理由を入力する画面（写損理由の入力ダイアログ）をスキップする。【００５３】  一方、「手の一般撮影」では、写損理由の入力が必要などのユーザの意向が設定可能となる。「手の一般撮影」では写損理由の入力が必要とユーザが判断した際において、「手の一般撮影」タブ８ｋを選択した場合には、チェックボックス８ｎにチェックマークを入れて、写損時での写損理由を入力する。「手の一般撮影」では写損理由の入力が不要とユーザが判断した際において、「手の一般撮影」タブ８ｋを選択した場合には、チェックボックス８ｎからチェックマークを外して、写損理由を入力する画面（写損理由の入力ダイアログ）をスキップする。【００５４】  図５に示すように、ユーザ情報登録画面８Ｃを起動する。ユーザ情報登録画面８Ｃには、ユーザ情報を入力する入力項目やドロップダウンリストが設けられており、例えば「ログイン名」入力項目８ｏ，「パスワード」入力項目８ｐ，「パスワード（再入力）」入力項目８ｑ，「グループ」ドロップダウンリスト８ｒ，「ユーザ属性」ドロ��プダウンリスト８ｓ，「漢字」入力項目８ｔ，「ローマ字」入力項目８ｕなどが設けられている。ユーザ情報登録画面８Ｃの下側には、ユーザ毎のチェックボックス８ｖが表示される。【００５５】  「ユーザ属性」ドロップダウンリスト８ｓでは、「医者」，「技師」を一覧表示して、ユーザが一覧から該当する１つを選択する。例えば、ユーザが医者である場合には、「ユーザ属性」ドロップダウンリスト８ｓの一覧から「医者」を選択する。ユーザが技師である場合には「ユーザ属性」ドロップダウンリスト８ｓの一覧から「技師」を選択する。【００５６】  上述したようにユーザが医者である場合には写損理由の入力が不要であるとする。そこで、「ユーザ属性」ドロップダウンリスト８ｓの一覧から「医者」を選択した場合には、チェックボックス８ｖからチェックマークを外して、写損理由を入力する画面（写損理由の入力ダイアログ）をスキップする。一方、ユーザが技師である場合には写損理由の入力が必要であるとする。そこで、「ユーザ属性」ドロップダウンリスト８ｓの一覧から「技師」を選択した場合には、チェックボックス８ｖにチェックマークを入れて、写損時での写損理由を入力する。【００５７】  なお、写損理由の入力が不要であるユーザは医者であって、写損理由の入力が必要であるユーザは技師であるとして説明したが、ユーザが経験豊富な技師である場合には写損理由の入力が不要であるとし、ユーザが経験の浅い技師である場合には写損理由の入力が必要であると設定してもよい。したがって、ユーザが経験豊富な技師である場合には、チェックボックス８ｖからチェックマークを外して、写損理由を入力する画面（写損理由の入力ダイアログ）をスキップする。そして、ユーザが経験の浅い技師である場合には、チェックボックス８ｖにチェックマークを入れて、写損時での写損理由を入力する。【００５８】  図３の撮影プロトコル毎のチェックボックス８ｊへの入力操作によって、写損理由の入力の要否に関する設定値を図２に示すプロトコル設定管理部５６に送り込む。図４のプロシージャ毎のチェックボックス８ｎへの入力操作によって、写損理由の入力の要否に関する設定値を図２に示すプロシージャ設定管理部５５に送り込む。図５のユーザ毎のチェックボックス８ｖへの入力操作によって、写損理由の入力の要否に関する設定値を図２に示すユーザ設定管理部５７に送り込む。【００５９】  なお、図３〜図５の表示態様を個別に実施してもよいし、図３〜図５の表示態様を組み合わせて実施してもよい。特に、図３の撮影プロトコル毎のチェックボックス８ｊと図５のユーザ毎のチェックボックス８ｖとを組み合わせて実施してもよいし、図４のプロシージャ毎のチェックボックス８ｎと図５のユーザ毎のチェックボックス８ｖとを組み合わせて実施してもよい。【００６０】  このように組み合わせて実施することで、誰が、どの撮影または検査（プロシージャ）を行うのかという詳細な場合分けによって写損理由の入力の要否を設定することができる。組み合わせて実施する際には、図３と図５との設定が相反する場合、または図４と図５との設定が相反する場合、どちらの設定を優先するのか、組み合わせの両方の設定項目の論理積をとるのか、論理和をとるの��については、特に限定されない。例えば、写損理由の入力が必要であると設定される場合には、写損理由の入力の要否に関する設定値を“１”とし、写損理由の入力が不要であると設定される場合には、写損理由の入力の要否に関する設定値を“０”とする。【００６１】  このとき、図１に示すコントローラ５が、プログラムデータに応じて内部の使用するハードウェア回路（例えば論理回路）が変更可能なプログラマブルデバイス（例えばＦＰＧＡ(Field Programmable Gate Array)）などで構成される場合には、図２に示す写損理由判定部５４を図６に示す回路で構成してもよい。【００６２】  図２に示すプロトコル設定管理部５６からの設定値（図３の撮影プロトコル毎のチェックボックス８ｊへの入力操作による写損理由の入力の要否に関する設定値）または図２に示すユーザ設定管理部５７からの設定値（図５のユーザ毎のチェックボックス８ｖへの入力操作による写損理由の入力の要否に関する設定値）のいずれか一方を優先する場合には、図６（ａ）に示すように切替スイッチ５４ａで写損理由判定部５４を構成する。【００６３】  例えば、「ユーザ情報からの設定を優先する」ラジオボタン，「プロトコル情報からの設定を優先する」ラジオボタンを画面上に表示して、入力部７（図１を参照）を用いて「ユーザ情報からの設定を優先する」ラジオボタンを選択（押下）した場合には、切替スイッチ５４ａはユーザ設定管理部５７への接点に切り替える。入力部７を用いて「プロトコル情報からの設定を優先する」ラジオボタンを選択（押下）した場合には、切替スイッチ５４ａはプロトコル設定管理部５６への接点に切り替える。ラジオボタンは、「オプションボタン」とも呼ばれ、事前定義された選択肢のうち１つを選択する場合に使用され、１つのボタンを選択（押下）すると、前回に選択（押下）されていたボタンが選択（押下）されていない状態に戻り、常に１つのボタンのみが選択（押下）されるようにしたものである。【００６４】  なお、図２に示すプロシージャ設定管理部５５からの設定値（図４のプロシージャ毎のチェックボックス８ｎへの入力操作による写損理由の入力の要否に関する設定値）または図２に示すユーザ設定管理部５７からの設定値（図５のユーザ毎のチェックボックス８ｖへの入力操作による写損理由の入力の要否に関する設定値）のいずれか一方を優先する場合については説明を省略する。【００６５】  図２に示すプロトコル設定管理部５６からの設定値（図３の撮影プロトコル毎のチェックボックス８ｊへの入力操作による写損理由の入力の要否に関する設定値）および図２に示すユーザ設定管理部５７からの設定値（図５のユーザ毎のチェックボックス８ｖへの入力操作による写損理由の入力の要否に関する設定値）の論理和を出力とする場合には、図６（ｂ）に示すようにＯＲ回路５４ｂで写損理由判定部５４を構成する。【００６６】  例えば、図３の撮影プロトコル毎のチェックボックス８ｊにチェックマークを入れる場合には、写損理由の入力の要否に関する設定値が“１”であって、図５のユーザ毎のチェックボックス８ｖにチェックマークを入れる場合には、写損理由の入力の要否に関する設定値が“１”である。したがって、２つのチェックボックスのうちの���なくとも一方にチェックマークが入っている場合には、残りの他方のチェックボックスの状態に関係なく、論理和の出力の値は“１”となるので、写損理由の入力が必要であると設定する。２つのチェックボックスからチェックマークがともに外れている場合のみ、論理和の出力の値は“０”となるので、写損理由の入力が不要であると設定する。【００６７】  なお、図２に示すプロシージャ設定管理部５５からの設定値（図４のプロシージャ毎のチェックボックス８ｎへの入力操作による写損理由の入力の要否に関する設定値）および図２に示すユーザ設定管理部５７からの設定値（図５のユーザ毎のチェックボックス８ｖへの入力操作による写損理由の入力の要否に関する設定値）の論理和を出力とする場合については説明を省略する。【００６８】  図２に示すプロトコル設定管理部５６からの設定値（図３の撮影プロトコル毎のチェックボックス８ｊへの入力操作による写損理由の入力の要否に関する設定値）および図２に示すユーザ設定管理部５７からの設定値（図５のユーザ毎のチェックボックス８ｖへの入力操作による写損理由の入力の要否に関する設定値）の論理積を出力とする場合には、図６（ｃ）に示すようにＡＮＤ回路５４ｃで写損理由判定部５４を構成する。【００６９】  例えば、図３の撮影プロトコル毎のチェックボックス８ｊからチェックマークを外す場合には、写損理由の入力の要否に関する設定値が“０”であって、図５のユーザ毎のチェックボックス８ｖからチェックマークを外す場合には、写損理由の入力の要否に関する設定値が“０”である。したがって、２つのチェックボックスのうちの少なくとも一方からチェックマークが外れている場合には、残りの他方のチェックボックスの状態に関係なく、論理積の出力の値は“０”となるので、写損理由の入力が不要であると設定する。２つのチェックボックスにチェックマークがともに入っている場合のみ、論理積の出力の値は“１”となるので、写損理由の入力が必要であると設定する。【００７０】  なお、図２に示すプロシージャ設定管理部５５からの設定値（図４のプロシージャ毎のチェックボックス８ｎへの入力操作による写損理由の入力の要否に関する設定値）および図２に示すユーザ設定管理部５７からの設定値（図５のユーザ毎のチェックボックス８ｖへの入力操作による写損理由の入力の要否に関する設定値）の論理積を出力とする場合については説明を省略する。【００７１】  写損理由の入力が必要であると設定される場合には、写損理由の入力の要否に関する設定値を“１”とし、写損理由の入力が不要であると設定される場合には、写損理由の入力の要否に関する設定値を“０”としたが、逆であってもよい。すなわち、写損理由の入力が必要であると設定される場合には、写損理由の入力の要否に関する設定値を“０”とし、写損理由の入力が不要であると設定される場合には、写損理由の入力の要否に関する設定値を“１”としてもよい。【００７２】  また、ユーザ毎に写損理由の入力の要否に関する設定を行う場合において、ユーザ毎に使用する撮影プロトコルを予め分けておくことで、撮影プロトコル毎に写損理由の入力の要否に関する設定を行う場合と同等の効果が得られる。同様に、ユーザ毎に写���理由の入力の要否に関する設定を行う場合において、ユーザ毎に使用するプロシージャを予め分けておくことで、プロシージャ毎に写損理由の入力の要否に関する設定を行う場合と同等の効果が得られる。【００７３】  次に、写損理由の入力の要否に関する設定を含んだ一連の撮影について、図７，図１６および図１７を参照して説明する。図７は、写損理由の入力の要否に関する設定を含んだ実施例１に係る一連の撮影のフローチャートである。【００７４】  図７，図１６および図１７では、「写損」ボタンの押下時または「検査終了」ボタンの押下時の２つのタイミングで、写損理由判定部５４（図２を参照）は写損画像に対して写損理由の入力の要否を判定し、写損理由の入力が必要な場合には写損理由の入力を促す。なお、上述のタイミングに限定されない。例えば、検査中の画像送信時のタイミングで写損理由の入力の要否を判定し、写損理由の入力が必要な場合には写損理由の入力を促してもよい。【００７５】  ここで、一連の撮影において、ユーザが医者である場合、写損が少ない撮影プロトコルやプロシージャの場合には、一連の撮影前に写損理由の入力が不要であることが予測される。したがって、一連の撮影前のタイミングでチェックボックス（図３では撮影プロトコル毎のチェックボックス８ｊ，図４ではプロシージャ毎のチェックボックス８ｎ，図５ではユーザ毎のチェックボックス８ｖ）への入力操作（写損理由の入力が必要である場合にはチェックボックスにチェックマークを入れる操作，写損理由の入力が不要である場合にはチェックボックスからチェックマークを外す操作）を一括して行うのが好ましい。一連の撮影前のタイミングでチェックボックスへの入力操作を一括して行うことにより、撮影毎やプロシージャ毎のチェックボックスへの入力操作を省くことができる。【００７６】  なお、連続撮影（連写）において写損が発生した場合には、一連の画像を写損画像として扱う。もちろん、連続撮影（連写）の途中で写損が発生し、写損が発生したと考えられるフレームが特定可能であれば、当該フレーム以前に得られた画像を写損画像とせずに、当該フレーム以降に得られた画像を写損画像として扱ってもよい。【００７７】  （ステップＳ１）チェックボックスへの入力操作  先ず、一連の撮影前にチェックボックス（図３では撮影プロトコル毎のチェックボックス８ｊ，図４ではプロシージャ毎のチェックボックス８ｎ，図５ではユーザ毎のチェックボックス８ｖ）への入力操作を一括して行う。写損理由の入力が必要である場合にはチェックボックスにチェックマークを入れる。写損理由の入力が不要である場合にはチェックボックスからチェックマークを外す。【００７８】  チェックボックスへの入力操作によって、プロシージャ設定管理部５５（図２を参照）やプロトコル設定管理部５６（図２を参照）やユーザ設定管理部５７（図２を参照）は、写損理由の入力の要否に関する設定値を出力する。後述するステップＳ６で写損理由判定部５４（図２を参照）からプロシージャ設定管理部５５，プロトコル設定管理部５６およびユーザ設定管理部５７に問い合わせがあった場合に、写損理由の入力の要否に関する設定値を写損理由判定部５４は収集する。【００７９】  （ステップＳ２）撮影  撮影プロトコルでのＸ線条件（Ｘ線管の管電流や管電圧や照射時間）や撮影条件にしたがって撮影を行う。【００８０】  図１６に示すように、撮影されたＸ線画像を表示する画面の傍ら（図１６では画面の下側）には、「写損」ボタンＢが設けられている。写損が発生した場合には、ユーザは「写損」ボタンＢを押下することにより、その時に表示されているＸ線画像を写損画像として設定（登録）する（後述するステップＳ５を参照）。上述したように、連続撮影（連写）において写損が発生した場合には、その時に表示されているＸ線画像のみならず、遡って一連のＸ線画像を写損画像として設定（登録）する。なお、写損画像を除外するために、ユーザが医者である場合においても「写損」ボタンＢを押下することが可能である。【００８１】  （ステップＳ３）写損ボタンの押下？  「写損」ボタンＢが押されたのか否かを写損処理部５１（図２を参照）が判定する。「写損」ボタンＢが押された場合には、写損処理部５１は写損理由管理部５３（図２を参照）にその旨を通知して、ステップＳ５に進む。「写損」ボタンＢが押されていない場合には、ステップＳ４に進む。【００８２】  （ステップＳ４）検査終了ボタンの押下？  「写損」ボタンＢが押されていない場合には、「検査終了」ボタンが押されたのか否かを検査終了処理部５２（図２を参照）が判定する。「検査終了」ボタンが押された場合には、検査終了処理部５２は写損理由管理部５３にその旨を通知して、ステップＳ１０に進む。「検査終了」ボタンが押されていない場合には、ステップＳ２に戻って、撮影を続行する。【００８３】  （ステップＳ５）写損登録  「写損」ボタンＢが押された場合には、ステップＳ２で撮影されたＸ線画像を写損画像として登録（写損登録）する。【００８４】  （ステップＳ６）チェックマーク有り？  写損理由管理部５３は写損理由の入力が必要であるのか否かを写損理由判定部５４（図２を参照）に問い合わせる。ステップＳ１でチェックボックスにチェックマークが入っているか否かを、プロシージャ設定管理部５５，プロトコル設定管理部５６およびユーザ設定管理部５７に写損理由判定部５４は問い合わせ、写損理由の入力の要否に関する設定値を収集する。【００８５】  チェックボックスにチェックマークが入っている場合に、写損理由の入力の要否に関する設定値が“１”であって、チェックボックスにチェックマークが入っていない場合に、写損理由の入力の要否に関する設定値が“０”であるときには、写損理由判定部５４が設定値“１”を収集する際にはチェックマークが存在すると判定し、写損理由判定部５４が設定値“０”を収集する際にはチェックマークが存在しないと判定する。チェックマークが存在すると写損理由判定部５４が判定した場合には、ステップＳ７に進む。チェックマークが存在しない（すなわちチェックボックスからチェックマークが外れている）場合には、ステップＳ９に進む。【００８６】  （ステップＳ７）入力ダイアログの表示  チェックマークが存在する場合には、写損理由の入力が必要であると写損理由判定部５４は決定し、写損理由管理部５３に通知する。写損理由の入力が必要である場合には、写損理由管理部５３は写損理由入力指���部５８（図２を参照）にその旨を通知し、写損理由入力指示部５８は、写損理由の入力が必要である旨をユーザに対して写損理由の入力を指示する。具体的には、図１７に示すような「写損理由を選択してください」と表記された画面（写損理由の入力ダイアログ）が表示される。写損理由の入力ダイアログが表示されると、ユーザは該当する写損理由を選択した後に図１７の「ＯＫ」ボタンを押すことにより、写損理由を入力する。【００８７】  （ステップＳ８）ＯＫボタンの押下？   「ＯＫ」ボタンが押されたのか否かを写損理由管理部５３が判定する。「ＯＫ」ボタンが押された場合には、ステップＳ９に進む。なお、図１７の「キャンセル」ボタンが押された場合にも、写損理由の入力ダイアログを一旦閉じてステップＳ９に進む。「キャンセル」ボタンが押された場合としては、何らかの理由でその時点で写損理由の入力を行わなかったケースが考えられる。何らかの理由でその時点で写損理由の入力を行わなかったケースとしては、例えば写損理由を入力する時間が無いケースがある。【００８８】  （ステップＳ９）再撮影  写損ボタンＢが押された場合には再撮影を行う。そして、ステップＳ３に戻って、ステップＳ３以降の処理を繰り返す。【００８９】  （ステップＳ１０）写損理由の未入力の写損画像有り？  「検査終了」ボタンが押された場合には、写損理由が未だに入力されていない写損画像が存在するか否かを写損理由管理部５３が判定する。【００９０】  本来であれば、写損理由の入力が必要である場合、かつステップＳ８で図１７の「ＯＫ」ボタンが押された場合には、写損時での写損理由が入力されるので、写損理由が未だに入力されていない写損画像が存在し得ない。しかし、ステップＳ８で図１７の「キャンセル」ボタンが押された場合には、写損理由の入力を行わなかったので、写損理由が未だに入力されていない写損画像が存在し得る。【００９１】  したがって、写損理由が未だに入力されていない写損画像が存在すると写損理由管理部５３が判定した場合には、ステップＳ１１に進む。一方、写損理由が未だに入力されていない写損画像が存在しない場合には、写損理由の入力の要否に関する設定を含んだ一連の撮影が済んだとして図７の処理を終了する。【００９２】  （ステップＳ１１）チェックマーク有り？  ステップＳ８で図１７の「キャンセル」ボタンが押され、ステップＳ９の再撮影を経て、ステップＳ４で「検査終了」ボタンが押されている場合には、ステップＳ９の再撮影が既に終了しており、写損画像において写損理由が未だに入力されていないことを意味する。【００９３】  写損理由が未だに入力されていない写損画像が存在する場合においても、ステップＳ６と同様に写損理由管理部５３は写損理由の入力が必要であるのか否かを写損理由判定部５４に問い合わせる。ステップＳ６と同様に、ステップＳ１でチェックボックスにチェックマークが入っているか否かを、プロシージャ設定管理部５５，プロトコル設定管理部５６およびユーザ設定管理部５７に写損理由判定部５４は問い合わせる。このようにして、写損理由が未だに入力されていない写損画像が存在する場合においても、ステップＳ６と同様にチェックボックスにチェックマークが入っている��否かを写損理由判定部５４が判定する。チェックマークが存在すると写損理由判定部５４が判定した場合には、ステップＳ１２に進む。【００９４】  ただし、チェックマークが存在しない（すなわちチェックボックスからチェックマークが外れている）場合には、ステップＳ６と相違してステップＳ９の再撮影が既に終了し、かつ写損理由の入力が不要であるので、写損理由の入力の要否に関する設定を含んだ一連の撮影が済んだとして図７の処理を終了する。【００９５】  （ステップＳ１２）入力ダイアログの表示  ステップＳ７と同様に、チェックマークが存在する場合には、写損理由の入力が必要であると写損理由判定部５４は決定し、写損理由管理部５３に通知する。これによって、ステップＳ７と同様に写損理由の入力ダイアログが表示される。【００９６】  （ステップＳ１３）ＯＫボタンの押下？   ステップＳ８と同様に、図１７の「ＯＫ」ボタンが押されたのか否かを写損理由管理部５３が判定する。ただし、図１７の「キャンセル」ボタンが押された場合には、ステップＳ８と相違して「ＯＫ」ボタンが押されるまでステップＳ１２，Ｓ１３をループして待機する。また、「ＯＫ」ボタンが押された場合には、ステップＳ８と相違してステップＳ９の再撮影が既に終了し、かつ写損理由の入力が既に終了しているので、写損理由の入力の要否に関する設定を含んだ一連の撮影が済んだとして図７の処理を終了する。【００９７】  本実施例１に係るＸ線撮影装置によれば、写損時での写損理由の入力の要否に関する設定を行うコントローラ５の写損理由判定部５４を備える。さらにコントローラ５は下記のような制御を行う。写損理由の入力が必要であると写損理由判定部５４で設定された場合には、写損理由を入力する画面（写損理由の入力ダイアログ）を表示するようにコントローラ５は制御する。写損理由の入力が不要であると写損理由判定部５４で設定された場合には、写損理由を入力する画面（写損理由の入力ダイアログ）をスキップするようにコントローラ５は制御する。このような写損理由判定部５４を備え、コントローラ５が表示制御の機能を備えることにより、写損理由の入力が不要な場合にはその入力作業が自動的にスキップされる。その結果、写損理由の入力が不要な場合に写損理由の入力をキャンセルするなどの操作を行わずに済み、ユーザ（操作者）の作業の手間を軽減することができる。【００９８】  本実施例１では、入力部７は写損理由の入力の要否を入力するように構成されている。一方、コントローラ５は、写損理由の入力の要否に関する設定項目（図３〜図５ではチェックボックス）を画面上に表示するように制御している。画面上に表示された設定項目（チェックボックス）において写損理由の入力が必要であると入力部７で入力された場合（チェックボックスにチェックマークを入れる操作を行った場合）には、写損理由判定部５４は写損理由の入力が必要であると設定する。これによって、画面上に表示された設定項目（チェックボックス）において写損理由の入力が必要であると入力部７で入力された場合には、写損理由を入力する画面（写損理由の入力ダイアログ）を表示して、画面上で写損理由を入力する。それに対して、画面上に表示された設定項目（チ��ックボックス）において写損理由の入力が不要であると入力部７で入力された場合（チェックボックスからチェックマークを外す操作を行った場合）には、写損理由判定部５４は写損理由の入力が不要であると設定する。これによって、画面上に表示された設定項目（チェックボックス）において写損理由の入力が不要であると入力部７で入力された場合には、写損理由を入力する画面（写損理由の入力ダイアログ）をスキップするので、写損理由の入力が不要な場合にはその入力作業が自動的にスキップされる。
【実施例２】
【００９９】  次に、図面を参照して本発明の実施例２を説明する。  図８は、特定の撮影プロトコルにおいて写損理由の入力が必要であると設定される場合での実施例２に係るプロシージャ編集画面の表示態様であり、図９は、特定の撮影プロトコルにおいて写損理由の入力が不要であると設定される場合での実施例２に係るプロシージャ編集画面の表示態様であり、図１０は、特定のプロシージャにおいて写損理由の入力が必要であると設定される場合での実施例２に係るプロシージャ編集画面の表示態様であり、図１１は、特定のプロシージャにおいて写損理由の入力が不要であると設定される場合での実施例２に係るプロシージャ編集画面の表示態様であり、図１２は、ログイン前の実施例２に係るユーザ情報登録画面の表示態様であり、図１３は、図１２とは別の態様である実施例２に係るユーザ情報登録画面の表示態様であり、図１４は、特定の操作者の時に写損理由の入力が必要であると設定される場合での実施例２に係るユーザ情報登録画面の表示態様であり、図１５は、特定の操作者の時に写損理由の入力が不要であると設定される場合での実施例２に係るユーザ情報登録画面の表示態様である。【０１００】  上述した実施例１では、画面上に表示された設定項目（チェックボックス）において写損理由の入力が必要であると入力部７（図１を参照）で入力された場合（チェックボックスにチェックマークを入れる操作を行った場合）には、写損理由判定部５４（図２を参照）は写損理由の入力が必要であると設定し、画面上に表示された設定項目（チェックボックス）において写損理由の入力が不要であると入力部７で入力された場合（チェックボックスからチェックマークを外す操作を行った場合）には、写損理由判定部５４は写損理由の入力が不要であると設定していた。【０１０１】  これに対して、本実施例２では、入力部７は操作条件を入力するように構成されており、入力部７で入力された操作条件に応じて写損理由判定部５４は写損理由の入力の要否に関する設定を行う。さらに、本実施例２では特定の操作条件において写損理由の入力が不要であると写損理由判定部５４で設定される場合には、コントローラ５（図１および図２を参照）は、当該特定の操作条件において写損理由の入力の要否に関する設定の画面をスキップするように制御する。本実施例２の入力部７は、本発明における操作条件入力手段に相当する。【０１０２】  本実施例２では、コントローラ５，入力部７および写損理由判定部５４の機能が上述した実施例１と相違する。本実施例２に係る表示態様について、図８〜図１５を参照して説明する。【０１０３】  上述した実施例１では、「写損時に写損理由を入力する」のか否かの設定項目（チェックボックス）を追加した画面を表示していた。これに対して、本実施例２では、特定の操作条件において写損理由の入力が不要であると設定される場合には写損理由の入力の要否に関する設定の画面（例えば、「写損時に写損理由を入力する」のか否かの設定項目（チェックボックス）を追加した画面）をスキップする。【０１０４】  図８または図９に示すように、プロシージャ編集画面８Ａを起動する。上述した実施例１の図３と同様に、プロシージャ編集画面８Ａには、���えば「全般」タブ８ａ，「透視」タブ８ｂ，「撮影」タブ８ｃが設けられている。上述した実施例１の図３と同様に、「撮影」タブ８ｃを選択すると、例えば「SPOT 造影前」の撮影プロトコル８ｄ，「SPOT 造影後」の撮影プロトコル８ｅ，「3.75FPS」の撮影プロトコル８ｆ，「7.5FPS」の撮影プロトコル８ｇが表示されている。【０１０５】  図８は「SPOT 造影前」の撮影プロトコル８ｄを選択した場合の表示態様であり、図９は「SPOT 造影後」の撮影プロトコル８ｅを選択した場合の表示態様である。上述した実施例１の図３と同様に、「SPOT 造影前」の撮影プロトコル８ｄや「SPOT 造影後」の撮影プロトコル８ｅを選択すると、右側には例えば「Ｘ線／撮影条件」タブ８ｈ，「処理」タブ８ｉが設けられている。【０１０６】  図８に示すように、「SPOT 造影前」の撮影プロトコル８ｄを選択した後に「Ｘ線／撮影条件」タブ８ｈを選択すると、上述した実施例１の図３と同様にチェックボックス８ｊが表示される。上述したように「SPOT 造影前」は造影剤の投与前の撮影であるので、写損が発生する可能性がある。そこで、「SPOT 造影前」の撮影プロトコル８ｄを選択した場合には、チェックボックス８ｊにチェックマークを入れて、写損時での写損理由を入力する。このようにして、「SPOT 造影前」の撮影プロトコル８ｄにおいて写損理由の入力の要否に関する設定を行う。【０１０７】  それに対して、「SPOT 造影後」は造影撮影であるので、写損理由の入力が不要である。そこで、図９に示すように、「SPOT 造影後」の撮影プロトコル８ｅを選択した場合には、図３や図８のチェックボックス８ｊが非表示状態となっており、写損理由を入力する画面（写損理由の入力ダイアログ）を自動的にスキップする。【０１０８】  このように、入力部７（図１を参照）で入力された各々の撮影プロトコルの内容に応じて写損理由判定部５４（図２を参照）は写損理由の入力の要否に関する設定を行っている。例えば、「SPOT 造影前」の撮影プロトコル８ｄを選択した場合には、「写損時に写損理由を入力する」のか否かのチェックボックス８ｊを追加した画面を表示し、かつチェックボックス８ｊにチェックマークを入れることにより写損理由を入力するようにプログラミングされている。「SPOT 造影後」の撮影プロトコル８ｅを選択した場合には、図３や図８のチェックボックス８ｊを追加した画面をスキップし、写損理由を入力しないようにプログラミングされている。これらのプログラミングされたプログラムのうち、要否設定に関するプログラムを写損理由判定部５４が実行し、表示制御に関するプログラムをコントローラ７（図１および図２を参照）が実行する。【０１０９】  なお、図８では「SPOT 造影前」の撮影プロトコル８ｄを選択するとチェックボックス８ｊを表示したが、下記のような表示態様であってもよい。例えば、チェックボックス８ｊにチェックマークが入っている状態を初期状態（すなわちデフォルト(default)状態）として、写損理由の入力が不要である場合のみチェックボックス８ｊからチェックマークを外して、写損理由を入力する画面（写損理由の入力ダイアログ）をスキップしてもよい。また、「SPOT 造影前」の撮影プロトコル８ｄを選択すると、図９と同様にチェックボックスを非表示状態とし、写損理由を入力する画面（写損理由の入力ダイアログ）に移行して、写損理由を選択して入力してもよい。【０１１０】  図１０または図１１に示すように、プロシージャ編集画面８Ｂを起動する。上述した実施例１の図４と同様に、プロシージャ編集画面８Ｂには、例えば「手の一般撮影」タブ８ｋ，「上部消化管の造影検査」タブ８ｌが設けられている。図１０は「手の一般撮影」タブ８ｋを選択した場合の表示態様であり、図１１は「上部消化管の造影検査」タブ８ｌを選択した場合の表示態様である。上述した実施例１の図４と同様に、各々のタブ８ｋ，８ｌを選択すると、複数の撮影プロトコル（図１０や図１１の符号８ｍを参照）が表示されている。【０１１１】  上述した実施例１の図４と同様に、図１０や図１１の場合にはプロシージャ毎に写損理由の入力の要否に関する設定を行う。つまり、同一のプロシージャに撮影プロトコルが属していれば、各々の撮影プロトコルでは写損理由の入力の要否に関する設定が一括して行われる。【０１１２】  図１０に示すように、「手の一般撮影」タブ８ｋを選択すると、上述した実施例１の図４と同様にチェックボックス８ｎが表示される。上述したように「手の一般撮影」では、写損理由の入力が必要などのユーザの意向が設定可能となる。そこで、「手の一般撮影」では写損理由の入力が必要とユーザが判断した際において、「手の一般撮影」タブ８ｋを選択した場合には、チェックボックス８ｎにチェックマークを入れて、写損時での写損理由を入力する。「手の一般撮影」では写損理由の入力が不要とユーザが判断した際において、「手の一般撮影」タブ８ｋを選択した場合には、チェックボックス８ｎからチェックマークを外して、写損理由を入力する画面（写損理由の入力ダイアログ）をスキップする。【０１１３】  それに対して、「上部消化管の造影検査」は造影撮影であるので、写損理由の入力が不要である。そこで、図１１に示すように、「上部消化管の造影検査」タブ８ｌを選択した場合には、図４や図１０のチェックボックス８ｎが非表示状態となっており、写損理由を入力する画面（写損理由の入力ダイアログ）を自動的にスキップする。【０１１４】  このように、入力部７（図１を参照）で入力された各々のプロシージャの内容に応じて写損理由判定部５４（図２を参照）は写損理由の入力の要否に関する設定を行っている。例えば、「手の一般撮影」タブ８ｋを選択した場合にはチェックボックス８ｎを追加した画面を表示し、チェックボックス８ｎにチェックマークを入れることにより写損理由を入力し、チェックボックス８ｎからチェックマークを外すことにより写損理由を入力しないようにプログラミングされている。「上部消化管の造影検査」タブ８ｌを選択した場合には、図４や図１０のチェックボックス８ｎを追加した画面をスキップし、写損理由を入力しないようにプログラミングされている。これらのプログラミングされたプログラムのうち、要否設定に関するプログラムを写損理由判定部５４が実行し、表示制御に関するプログラムをコントローラ７（図１および図２を参照）が実行する。【０１１５】  なお、図１０では「手の一般撮影」タブ８ｋを選択するとチェックボックス８ｎを表示したが、図８の変形実施と同様に下記のような表示態様であってもよい。例えば、チェックボックス８ｎにチェックマークが入っている状態を初期状態（デフォルト状態）として、写損理由の入力が不要である場合のみチェックボックス８ｎからチェックマークを外して、写損理由を入力する画面（写損理由の入力ダイアログ）をスキップしてもよい。また、「手の一般撮影」タブ８ｋを選択すると、図１１と同様にチェックボックスを非表示状態とし、写損理由を入力する画面（写損理由の入力ダイアログ）に移行して、写損理由を選択して入力してもよい。【０１１６】  図１２に示すように、ユーザ情報登録画面８Ｃを起動する。上述した実施例１の図５と同様に、ユーザ情報登録画面８Ｃには、例えば「ログイン名」入力項目８ｏ，「パスワード」入力項目８ｐ，「パスワード（再入力）」入力項目８ｑが設けられている。上述した実施例１の図５と相違して、本実施例２の図１２では、ログイン前の状態では図５のチェックボックス８ｖが非表示状態となっている。これは、医者がログインする場合には、明らかに写損理由の入力が不要であって、図５のチェックボックス８ｖを追加した画面をスキップしても問題がないからである。【０１１７】  このように、入力部７（図１を参照）で入力された各々のユーザ（操作者）の情報に応じて写損理由判定部５４（図２を参照）は写損理由の入力の要否に関する設定を行う。そして、特定の操作者として医者がログインした時に写損理由の入力が不要であると写損理由判定部５４で設定される場合には、コントローラ７（図１および図２を参照）は、当該特定の操作者（ここでは医者）の時に写損理由の入力の要否に関する設定の画面（例えば、「写損時に写損理由を入力する」のか否かの設定項目（チェックボックス）を追加した画面）をスキップするように制御する。【０１１８】  図１２では、ログインするユーザの情報に応じて写損理由の入力の要否に関する設定を行ったが、図１３に示すような表示態様において入力されたユーザの情報に応じて写損理由の入力の要否に関する設定を行ってもよい。例えば、図１３に示すように、ユーザ情報登録画面８Ｃを起動し、上述した実施例１の図５と同様に、ユーザ情報登録画面８Ｃには、例えば「ユーザ属性」ドロップダウンリスト８ｓが設けられている。上述した実施例１の図５と同様に、「ユーザ属性」ドロップダウンリスト８ｓでは、「医者」，「技師」を一覧表示して、ユーザが一覧から該当する１つを選択する。図１２と同様に図１３では、図５のチェックボックス８ｖが非表示状態となっている。そして、ユーザが医者である場合には「ユーザ属性」ドロップダウンリスト８ｓの一覧から「医者」を選択し、ユーザが技師である場合には「ユーザ属性」ドロップダウンリスト８ｓの一覧から「技師」を選択する。【０１１９】  図１２において技師がログインした場合、もしくは図１３の「ユーザ属性」ドロップダウンリスト８ｓの一覧から「技師」を選択した場合、図１４に示す表示態様に移行する。図１２において医者がログインした場合、もしくは図１３の「ユーザ属性」ドロップダウンリスト８ｓの一覧から「医者」を選択した場合、図１５に示す表示態様に移行する。図１４や図１５に示すように、ユーザ情報登録画面８Ｃには、上���した実施例１の図５と同様に、例えば「漢字」入力項目８ｔ，「ローマ字」入力項目８ｕが設けられている。【０１２０】  ユーザが技師である場合には、図１２または図１３のように入力することで、図１４に示すようにユーザ情報登録画面８Ｃの下側にはチェックボックス８ｖが表示される。これにより、特定の操作者として技師の時に写損理由の入力が必要であると設定するためのチェックボックス８ｖが表示される。上述したようにユーザが経験豊富な技師である場合には写損理由の入力が不要であるとし、チェックボックス８ｖからチェックマークを外して、写損理由を入力する画面（写損理由の入力ダイアログ）をスキップする。それに対して、ユーザが経験の浅い技師である場合には写損理由の入力が必要であるので、チェックボックス８ｖにチェックマークを入れて、写損時での写損理由を入力する。【０１２１】  一方、ユーザが医者である場合には、図１２または図１３のように入力することで、図１５に示すようにユーザ情報登録画面８Ｃには、図５や図１４のチェックボックス８ｖが非表示状態となり、写損理由を入力する画面（写損理由の入力ダイアログ）を自動的にスキップする。これにより、特定の操作者として医者の時に写損理由の入力が不要であると設定される。【０１２２】  上述したように、入力部７（図１を参照）で入力された各々のユーザ（操作者）の情報に応じて写損理由判定部５４（図２を参照）は写損理由の入力の要否に関する設定を行っている。例えば、ユーザが技師である場合にはチェックボックス８ｖを追加した画面を表示し、チェックボックス８ｖにチェックマークを入れることにより写損理由を入力し、チェックボックス８ｖからチェックマーク８ｖを外すことにより写損理由を入力しないようにプログラミングされている。ユーザが医者である場合には、図５や図１４のチェックボックス８ｖを追加した画面をスキップし、写損理由を入力しないようにプログラミングされている。これらのプログラミングされたプログラムのうち、要否設定に関するプログラムを写損理由判定部５４が実行し、表示制御に関するプログラムをコントローラ７（図１および図２を参照）が実行する。【０１２３】  なお、図１２または図１３ではユーザが技師であることを入力すると、図１４のようにチェックボックス８ｖを表示したが、図８や図１０の変形実施と同様に下記のような表示態様であってもよい。例えば、チェックボックス８ｖにチェックマークが入っている状態を初期状態（デフォルト状態）として、写損理由の入力が不要である場合（例えばユーザが経験豊富な技師である場合）のみチェックボックス８ｖからチェックマークを外して、写損理由を入力する画面（写損理由の入力ダイアログ）をスキップしてもよい。また、ユーザが経験の浅い技師である場合に、例えば図１２のようにログインすると、図１５と同様にチェックボックスを非表示状態とし、写損理由を入力する画面（写損理由の入力ダイアログ）に移行して、写損理由を選択して入力してもよい。【０１２４】  上述した実施例１と同様に、図８〜図１５の表示態様を個別に実施してもよいし、図８〜図１５の表示態様を組み合わせて実施してもよい。特に、図８の特定の撮影プロトコルにおけるチェックボックス８ｊと図１４の特定のユーザ（操作者）におけるチェックボックス８ｖとを組み合わせて実施してもよいし、図１０の特定のプロシージャにおけるチェックボックス８ｎと図１４の特定のユーザ（操作者）におけるチェックボックス８ｖとを組み合わせて実施してもよい。（どちらの設定を優先するのか、組み合わせの両方の設定項目の論理積をとるのか、論理和をとるのか）具体的な組み合わせ方法については、上述した実施例１の図６で述べたので、ここでは割愛する。【０１２５】  なお、写損理由の入力の要否に関する設定を含んだ本実施例２に係る一連の撮影のフローチャートについては、上述した実施例１の図７のフローチャートと同様であるので、その説明を省略する。ただし、ユーザが医者である場合や写損が少ない撮影プロトコルやプロシージャの場合（すなわち写損理由の入力が不要である場合）には、本実施例２では図７のステップＳ１（チェックボックスへの入力操作）を実施しないことに留意されたい。【０１２６】  上述した実施例１と同様に、本実施例２に係るＸ線撮影装置によれば、写損時での写損理由の入力の要否に関する設定を行うコントローラ５の写損理由判定部５４を備える。写損理由の入力が必要であると写損理由判定部５４で設定された場合には、写損理由を入力する画面（写損理由の入力ダイアログ）を表示し、写損理由の入力が不要であると写損理由判定部５４で設定された場合には、写損理由を入力する画面（写損理由の入力ダイアログ）をスキップするようにコントローラ５が制御することにより、写損理由の入力が不要な場合にはその入力作業が自動的にスキップされ、ユーザ（操作者）の手間が軽減される。【０１２７】  本実施例２では、入力部７は操作条件を入力するように構成され、入力部７で入力された操作条件に応じて写損理由判定部５４は写損理由の入力の要否に関する設定を行う。一方、特定の操作条件において写損理由の入力が不要であると写損理由判定部５４で設定される場合には、コントローラ５は、当該特定の操作条件において写損理由の入力の要否に関する設定の画面（「写損時に写損理由を入力する」のか否かの設定項目（チェックボックス）を追加した画面）をスキップするように制御する。これによって、特定の操作条件において写損理由の入力が不要である場合には、写損理由の入力の要否に関する設定の画面（チェックボックスを追加した画面）をスキップするので、写損理由の入力が不要であると入力する作業そのものが自動的にスキップされる。その結果、写損理由の入力が不要である操作条件の場合には、写損理由の入力をキャンセルするなどの操作の他に、写損理由の入力が不要であると入力する操作（チェックボックスからチェックマークを外す操作）を行わずに済み、ユーザ（操作者）の作業の手間をより一層軽減することができる。【０１２８】  明らかに写損理由の入力が不要な場合（例えばユーザが医者である場合や写損が少ない造影撮影を行う場合）に、上述した実施例１では、写損理由の入力が不要であると設定するために、チェックボックスからチェックマークを外す操作のみで済む。しかし、撮影やプロシージャの数が多くなると、チェックボックスからチェックマークを外す操作をその都度行���ことになり、その操作さえ煩わしくなる。そこで、本実施例２では、写損理由の入力が不要である場合には、チェックボックスを追加した画面自体をスキップする（すなわちチェックボックスを非表示状態にする）。したがって、上述した実施例１と比較すると、撮影やプロシージャの数に関係なく、チェックボックスからチェックマークを外す操作を行わずに済む。【０１２９】  入力部７で入力される操作条件が撮影プロトコルの内容である場合、入力部７で入力された各々の撮影プロトコルの内容に応じて写損理由判定部５４は写損理由の入力の要否に関する設定を行う。そして、特定の撮影プロトコルにおいて写損理由の入力が不要であると写損理由判定部５４で設定される場合には、コントローラ５は、当該特定の撮影プロトコルにおいて写損理由の入力の要否に関する設定の画面（チェックボックスを追加した画面）をスキップするように制御する。これによって、特定の撮影プロトコルにおいて写損理由の入力が不要である場合には、写損理由の入力の要否に関する設定の画面（チェックボックスを追加した画面）をスキップするので、写損理由の入力が不要であると入力する作業そのものが自動的にスキップされる。その結果、写損理由の入力が不要である撮影プロトコル（例えば「SPOT 造影後」）の場合には、写損理由の入力をキャンセルするなどの操作の他に、写損理由の入力が不要であると入力する操作を行わずに済み、ユーザ（操作者）の作業の手間をより一層軽減することができる。【０１３０】  入力部７で入力される操作条件が、一連の撮影を一括したプロシージャの内容である場合、入力部７で入力された各々のプロシージャの内容に応じて写損理由判定部５４は写損理由の入力の要否に関する設定を行う。そして、特定のプロシージャにおいて写損理由の入力が不要であると写損理由判定部５４で設定される場合には、コントローラ５は、当該特定のプロシージャにおいて写損理由の入力の要否に関する設定の画面（チェックボックスを追加した画面）をスキップするように制御する。これによって、特定のプロシージャにおいて写損理由の入力が不要である場合には、写損理由の入力の要否に関する設定の画面（チェックボックスを追加した画面）をスキップするので、写損理由の入力が不要であると入力する作業そのものが自動的にスキップされる。その結果、写損理由の入力が不要であるプロシージャ（例えば「上部消化管の造影検査」）の場合には、写損理由の入力をキャンセルするなどの操作の他に、写損理由の入力が不要であると入力する操作を行わずに済み、ユーザ（操作者）の作業の手間をより一層軽減することができる。【０１３１】  入力部７で入力される操作条件がユーザ（操作者）の情報である場合、入力部７で入力された各々のユーザの情報に応じて写損理由判定部５４は写損理由の入力の要否に関する設定を行う。そして、特定の操作者として医者の時に写損理由の入力が不要であると写損理由判定部５４で設定される場合には、コントローラ５は、当該特定の操作者（ここでは医者）の時に写損理由の入力の要否に関する設定の画面（チェックボックスを追加した画面）をスキップするように制御する。これによって、特定の操作者（医者）の時に写損理由の入力��不要である場合には、写損理由の入力の要否に関する設定の画面（チェックボックスを追加した画面）をスキップするので、写損理由の入力が不要であると入力する作業そのものが自動的にスキップされる。その結果、写損理由の入力が不要である操作者（例えば医者あるいは経験豊富な技師）の場合には、写損理由の入力をキャンセルするなどの操作の他に、写損理由の入力が不要であると入力する操作を行わずに済み、ユーザ（操作者）の作業の手間をより一層軽減することができる。【０１３２】  本発明は、上記実施形態に限られることはなく、下記のように変形実施することができる。【０１３３】  （１）上述した各実施例で用いられるＸ線撮影装置としては、例えば移動型Ｘ線撮影装置（回診車）であってもよいし、据え付け型のＸ線撮影装置であってもよい。【０１３４】  （２）上述した各実施例（特に実施例１）では、写損理由の入力の要否に関する設定項目としてチェックボックスを例に採って説明したが、チェックボックスに限定されない。グラフィカルユーザインタフェース(GUI: Graphical User Interface)における仮想的なツール（「ウィジェット（Widget）」とも呼ばれる）であれば、例えば、アイコンやドロップダウンリストやコンボボックスやラジオボタンやタブなどであってもよい。アイコンの場合には、入力を示す絵柄で記号化して表現したものと、入力のスキップを示す絵柄で記号化して表現したものとを画面上に表示する。ドロップダウンリストの場合には、例えば「写損時に写損理由を入力する」，「写損時に写損理由を入力しない」を一覧表示して、ユーザが一覧から１つを選択する。コンボボックスの場合には、ドロップダウンリストとテキストボックスとを組み合わせたものであって、「写損時に写損理由を入力する」，「写損時に写損理由を入力しない」を直接的に入力することも可能であるし、一覧表示したリストから１つを選択することも可能である。ラジオボタンの場合には、例えば「写損時に写損理由を入力する」ボタン，「写損時に写損理由を入力しない」ボタンを画面上に表示し、それらのうち１つを選択する。タブの場合には、図３や図４などと同様に、例えば「写損時に写損理由を入力する」タブ，「写損時に写損理由を入力しない」タブを画面上に表示し、タブの選択によりいずれか１つに切り替える。【０１３５】  （３）上述した実施例２では、操作条件を入力するように入力部７を構成し、入力された操作条件に応じて写損理由の入力の要否に関する設定を行うのに、例えば、図１２のようにログインするユーザの情報に応じて、あるいは図１３のように入力されたユーザの情報に応じて、写損理由の入力の要否に関する設定を行ったが、このような態様に限定されない。例えば、入力手段として入出力ポートなどの端子で構成し、ユーザ情報を有したバーコードタグ（ＩＣタグ）をバーコードリーダで読み取り、読み取ったユーザ情報を入出力ポートに送り込み、送り込まれたユーザ情報に応じて写損理由の入力の要否に関する設定を行ってもよい。この場合には、医者や技師が身に着けたバーコードタグ（ＩＣタグ）をバーコードリーダで読み取るだけで、写損理由の入力の要否に関する設定を自動的に行うことができる。
【符号の説明】
【０１３６】  ５  …  コントローラ  ５４  …  写損理由判定部  ７  …  入力部  ８ｊ，８ｎ，８ｖ  …  チェックボックス
【図１】
2019198292.tif 000003
【図２】
2019198292.tif 000004
【図３】
2019198292.tif 000005
【図４】
2019198292.tif 000006
【図５】
2019198292.tif 000007
【図６】
2019198292.tif 000008
【図７】
2019198292.tif 000009
【図８】
2019198292.tif 000010
【図９】
2019198292.tif 000011
【図１０】
2019198292.tif 000012
【図１１】
2019198292.tif 000013
【図１２】
2019198292.tif 000014
【図１３】
2019198292.tif 000015
【図１４】
2019198292.tif 000016
【図１５】
2019198292.tif 000017
【図１６】
2019198292.tif 000018
【図１７】
2019198292.tif 000019
【国際調査報告】
2019198292.tif 000020
2019198292.tif 000021
2019198292.tif 000022